(57)【要約】【課題】企業では、製品・商品の原価を低減することで、価格競争に勝ち残るために、如何にして購買単価を低減する。【解決手段】  指定比較月に購買履歴が無い場合、比較月に近い過去から遡って検索し、無い場合に、指定された次の第１のパターン〜第４のパターンの何れかのパターン、すなわち、未来を検索し、比較月を算出する第１のパターン、比較月に近い未来から現在に向かって検索し、無い場合は過去を検索し、比較月を算出する第２のパターン、比較月に近い過去、未来を交互に検索し、比較月を算出する第３のパターン、比較月に近い未来、過去を交互に検索し、比較月を算出する第４のパターンに従って比較月を算出し、算出した比較月から購買単価交渉支援アドバイス情報を生成し出力する。【選択図】図２６
2014206801.tif 000002
【特許請求の範囲】
【請求項１】
ユーザ端末とネットワークを介して接続された購買単価交渉支援サーバにおける、購買単価交渉支援方法であって、
ユーザ端末から品目と、比較月数と、指定比較月に購買履歴が無い場合の第１のパターン〜第４のパターンの何れかの算出方法を前記ネットワークを介して受信し、
受信した前記品目に基づき、品目と仕入先とを対応付けて記憶した品目テーブルを検索して該当仕入先を取得し、単価比較テーブルに格納し、
遡り限界値テーブルから遡り限界値を取得し、
現在年月日と前記比較月数から比較月を算出し、
前記品目と前記仕入先と前記比較月を基に、単価履歴テーブルより発注単価を取得し、単価比較テーブルの該当レコードに格納し、
単価比較テーブルの該当レコードに空白がある場合は、第１のパターンによる算出方法にて比較月に近い過去から遡って検索し、無い場合は未来を検索し、比較月を算出し、
単価履歴テーブルより発注単価を取得し、単価比較テーブルの該当レコードに格納し、
単価比較テーブルより、仕入先毎の平均、最大、最小単価を算出し、見積テーブルより仕入先毎の最新見積年月日の単価を取得し、市場テーブルより単価を取得し、
前記ユーザ端末へ購買単価比較および購買単価交渉支援アドバイスの情報を送信する、
ことを特徴とする購買単価交渉支援方法。
【請求項２】
前記受信した指定比較月に購買履歴が無い場合の算出方法が第２のパターンの場合、比較月に近い未来から現在に向かって検索し、無い場合は過去を検索し、比較月を算出する、
ことを特徴とする請求項１に記載の購買単価交渉支援方法。
【請求項３】
前記受信した指定比較月に購買履歴が無い場合の算出方法が第３のパターンの場合、比較月に近い過去、未来を交互に検索し、比較月を算出する、
ことを特徴とする請求項１に記載の購買単価交渉支援方法。
【請求項４】
前記受信した指定比較月に購買履歴が無い場合の算出方法が第４のパターンの場合、比較月に近い未来、過去を交互に検索し、比較月を算出する、
ことを特徴とする請求項１に記載の購買単価交渉支援方法。
【発明の詳細な説明】
【技術分野】
【０００１】
本発明は、過去の購買履歴単価を活用して、購買者が取引先との発注単価の値下げ交渉として活用する情報を算出する技術に関する。
【背景技術】
【０００２】
企業にとって事業を進める上で製品材料や消費材などの購買業務は不可欠な分野である。購買対象の検索、購買発注処理、自動仕訳など購買業務の効率化を目的にコンピュータによる通信技術と情報処理技術が活用されている。そこで、過去の購買履歴に着目し、購買履歴情報から得た情報を取引先との購買単価交渉に活用することで原価低減を図ることができる可能性がある。
【０００３】
関連する技術として、注文データと履歴情報の購買品データとを比較して注文品を予め定めた複数の購買パターンの何れかに振り分ける技術が知られている（例えば、特許文献１参照）。
【先行技術文献】
【特許文献】
【０００４】
【特許文献１】特開２００２−２７９２３６号公報
【発明の概要】
【発明が解決しようとする課題】
【０００５】
財務・管理会計、販売、調達、在庫、生産、人事などの主要業務を統合的に管理することを目的として、これらの情報システムを包括的に導入するために開発されたパッケージソフトを用いて、基幹業務システムを構築する企業も多い。
【０００６】
また企業では、製品・商品の原価を低減することで、価格競争に勝ち残るために、如何にして購買単価を低減するかが課題となっている。一方でコンピュータ化により過去の購買履歴を蓄積することが可能であり、これを活用することで取引先との購買単価交渉力と原価低減の向上が期待できる。
【０００７】
本発明は、このような事情に鑑みてなされたもので、過去に蓄積した購買単価履歴を活用した、購買単価交渉支援方法を提供することを課題とする。
【課題を解決するための手段】
【０００８】
上記課題を解決するための一手段について説明する。本発明は、ユーザ端末とネットワークを介して接続された購買単価交渉支援サーバにおける、前記購買単価交渉支援システムである。
【０００９】
前記購買単価交渉支援サーバは、ユーザ端末から品目と、比較月数と、指定比較月に購買履歴が無い場合の算出方法 を前記ネットワークを介して受信し、前記受信した品目に基づき、品目と仕入先とを対応付けて記憶した品目テーブルを検索して該当仕入先を取得し、単価比較テーブルに格納し、遡り限界値テーブルから遡り限界値を取得する。現在年月日を取得し、前記比較月数から比較月を算出し、前記品目と仕入先と比較月を基に、単価履歴テーブルより発注単価を取得し、前記単価比較テーブルの該当レコードに格納する。前記単価比較テーブルの該当レコードに空白がある場合は、前記指定比較月に購買履歴が無い場合の算出方法を基に、比較月を算出し、前記単価履歴テーブルより発注単価を取得し、前記単価比較テーブルの該当レコードに格納する。前記単価比較テーブルより、仕入先毎の平均、最大、最小単価を算出し、見積テーブルより仕入先毎の最新見積年月日の単価を取得し、市場テーブルより単価を取得し、前記購買単価交渉支援サーバは、前記ユーザ端末へ購買単価比較および購買単価交渉支援アドバイスの情報を送信する。
【発明の効果】
【００１０】
本発明によれば、取引先との購買単価交渉力向上による発注単価の低減が期待できる。
【図面の簡単な説明】
【００１１】
【図１】本実施形態に係るコンピュータネットワークシステム１００の全体構成例を示す図である。
【図２】購買単価交渉支援サーバ１０１のハードウェア構成例を示す図である。
【図３】ユーザ端末１０３のハードウェア構成例を示す図である。
【図４】ユーザ端末１０３の表示部３０２に表示される購買単価検索画面例４００を示す図である。
【図５】購買単価交渉支援サーバ１０１が具備する購買単価交渉支援機能２１１の処理を示すフローチャートである。
【図６】購買単価交渉支援サーバ１０１が具備する購買単価交渉支援機能２１１の処理を示すフローチャートである。
【図７】購買単価交渉支援サーバ１０１が具備する購買単価交渉支援機能２１１の処理を示すフローチャートである。
【図８】購買単価交渉支援サーバ１０１が具備する購買単価交渉支援機能２１１の処理を示すフローチャートである。
【図９】購買単価交渉支援サーバ１０１が具備する購買単価交渉支援機能２１１の処理を示すフローチャートである。
【図１０】購買単価交渉支援サーバ１０１が具備する購買単価交渉支援機能２１１の処理を示すフローチャートである。
【図１１】購買単価交渉支援サーバ１０１が具備する購買単価交渉支援機能２１１の処理を示すフローチャートである。
【図１２】購買単価交渉支援サーバ１０１が具備する購買単価交渉支援機能２１１の処理を示すフローチャートである。
【図１３】購買単価交渉支援サーバ１０１が具備する購買単価交渉支援機能２１１の処理を示すフローチャートである。
【図１４】購買単価交渉支援サーバ１０１が具備する購買単価交渉支援機能２１１の処理を示すフローチャートである。
【図１５】購買単価交渉支援サーバ１０１が具備する購買単価交渉支援機能２１１の処理を示すフローチャートである。
【図１６】購買単価交渉支援サーバ１０１が具備する購買単価交渉支援機能２１１の処理を示すフローチャートである。
【図１７】購買単価交渉支援サーバ１０１が具備する購買単価交渉支援機能２１１の処理を示すフローチャートである。
【図１８】購買単価交渉支援サーバ１０１が具備する購買単価交渉支援機能２１１の処理を示すフローチャートである。
【図１９】購買単価交渉支援サーバ１０１が具備する品目テーブル２１４のデータ構成例を示す図である。
【図２０】購買単価交渉支援サーバ１０１が具備する単価履歴テーブル２１５のデータ構成例を示す図である。
【図２１】購買単価交渉支援サーバ１０１が具備する単価比較テーブル２１６のデータ構成例を示す図である。
【図２２】購買単価交渉支援サーバ１０１が具備する見積テーブル２１７のデータ構成例を示す図である。
【図２３】購買単価交渉支援サーバ１０１が具備する市場テーブル２１８のデータ構成例を示す図である。
【図２４】購買単価交渉支援サーバ１０１が具備する遡り限界値テーブル２１９のデータ構成例を示す図である。
【図２５】ユーザ端末１０３の表示部３０２に表示される購買単価比較画面例２５００を示す図である。
【図２６】ユーザ端末１０３の表示部３０２に表示される購買単価交渉支援アドバイス画面例２６００を示す図である。
【発明を実施するための形態】
【００１２】
以下、本発明の一実施例について、図面を参照して詳細に説明する。
【００１３】
図１は、本実施例に係るコンピュータネットワークシステム１００の全体構成例を示す図である。購買単価交渉支援システム１００は、購買単価交渉支援サーバ１０１と、複数のユーザ端末１０３とがネットワーク１０２に接続されて構成される。購買単価交渉支援サーバ１０１は、購買対象となる品目情報、過去に発注した品目の単価履歴情報、品目の市場単価を管理し、比較月を算出し、購買単価情報を取得する。この購買単価交渉支援サーバ１０１はデータセンター等屋内に設置される。ユーザ端末１０３は購買担当者が購入したい品目と購買履歴情報に対する比較月と、比較月に履歴が無い場合の比較月を算出するパターンを選択する画面を表示するための端末である。ユーザ端末１０３は例えばＰＣのような端末であり、購入したい品目に対して過去の購買履歴情報と見積単価と市場単価から仕入先毎の比較情報を表示する。
【００１４】
図２は購買単価交渉支援サーバ１０１のハードウェア構成例を示す図である。購買単価交渉支援サーバ１０１は、コントローラ２０２と、メモリ２０３とを具備し、記憶部２０１に、プログラム２１０として、購買単価交渉支援機能２１１を具備する。また、記憶部２０１には、品目テーブル２１４と、単価履歴テーブル２１５と、単価比較テーブル ２１６と、見積テーブル２１７と、市場テーブル２１８と、遡り限界値テーブル２１９とが格納される。また、購買単価交渉支援機能 ２１１は、ユーザ端末２０１より、品目の情報と、比較月数の情報と、指定比較月に購買履歴が無い場合の算出方法の情報を受信すると、該当品目の比較月における取引先と、その過去の購買単価情報に関する最安値、最高値、平均値を取得する機能を有する。また、該当品目の取引先の過去の購買単価情報が無い場合の比較月算出する機能を有する。また、市場単価と取引先毎の見積単価を取得し、取引先毎の過去の購買単価情報に関する最安値、最高値、平均値を表示し、さらに見積単価に対して市場価格と、過去の購買単価情報に関する最安値、最高値、平均値と、取引先の中で最安値となる見積単価の差の計算を行い表示する機能を具備する。
【００１５】
図３はユーザ端末１０３のハードウェア構成例を示す図である。ユーザ端末１０３は、コントローラ３０２と、メモリ３０３とを具備し、記憶部３０１に、プログラム３１０として、購買単価過去情報受信機能３１１と、購買単価過去情報表示機能３１２と、購買単価比較条件入力機能３１３を具備する。また、購買単価過去情報受信機能３１１は、購買単価交渉支援サーバ１０１より、購入したい品目に対して過去の購買履歴情報と見積単価と市場単価から仕入先毎の比較情報を受信する機能を有し、また、購買単価過去情報表示機能３１２にて表示部３０２に表示する機能を有する。購買単価比較条件送信機能３１３は入力部３０３より入力した購買単価比較条件を送信する機能を有する。
【００１６】
図４に示す過去購買単価検索画面４００の入力部には、品目４０１、比較月数４０２、指定比較月に購買履歴が無い場合の算出方法４０３から構成され、さらに指定比較月に購買履歴が無い場合の算出方法４０３は検索パターンチェックボックス（１）４１０とチェックボックス（２）４１１とチェックボックス（３）４１２とチェックボックス（４）４１３で構成される。チェックボックス（１）４１０は社会情勢から現在に近い月の物価が一時的に信頼できない（一時的な物価の増減）と判断される状態であり、過去に蓄積した購買履歴を重視する場合に選択されるものであり、比較月に近い過去から遡って検索し、無い場合は未来を検索する処理を実行する。 チェックボックス（２）４１１は社会情勢や物価指数の傾向から現在に近い月の物価を重視する場合に選択されるものであり、比較月に近い未来から現在に向かって検索し、無い場合は過去を検索する処理を実行する。チェックボックス（３）４１２は比較月になるべく近い値を重視し、過去と未来で両方に購買履歴が存在する場合は過去を重視する場合に選択されるものであり、比較月に近い過去、未来を交互に検索する処理を実行する。チェックボックス（４）４１３は比較月になるべく近い値を重視し、過去と未来で両方に購買履歴が存在する場合は未来を重視する場合に選択されるものであり、比較月に近い未来、過去を交互に検索する処理を実行する。過去購買単価検索画面４００はユーザ端末１０３の表示部３０２に表示される。過去購買単価検索画面４００には、ユーザが購入したい品目と、購買単価を取得したい比較月数が入力され、指定比較月に購買履歴が無い場合の算出方法が選択される画面の例を示す。図４に示す過去購買単価検索画面４００において、入力部４０１に品目（今回の例ではＡＡ０１）を入力し、入力部４０２に比較月数（今回の例では３）を入力し、選択部４０３で指定比較月に購買履歴が無い場合の算出方法（今回の例では（１））を選択し、送信ボタン４０４を押下することによって、図５に示す、購買単価交渉支援機能フローが開始され、図２５に示す、購買単価比較画面２５００に遷移する。
【００１７】
図５は、購買単価交渉支援サーバ１０３が具備する購買単価交渉支援機能２１１の処理を示すフローチャートである。購買単価交渉支援機能２１１は、過去購買単価検索画面４００より品目（今回の例ではＡＡ０１とする）と、比較月数（今回の例では３とする）と、指定比較月に購買履歴が無い場合の算出方法（今回の例では（１）とする）を取得（ステップＳ５００）する。次に品目テーブル２５１の品目１９０１をキー（今回の例ではＡＡ０１とする）に検索し、該当のレコードから仕入先１９０２（今回の例では１１１１、１１１２、１１１４、１１２１とする）を抽出した後、単価比較テーブル２５３の仕入先２１０１に格納（ステップＳ５０２）し、以下、品目１９０１の全仕入先に対して実施する。次に取得した比較月数（今回の例では３とする）を初期比較月変数Ｎに代入（ステップＳ５０２）する。次に初期比較月変数Ｎ（今回の例では３とする）の値を、過去購買履歴を取得する際の比較月変数Ｎｉに代入（ステップＳ５０３）する。次に、指定比較月に購買履歴が無い場合の算出方法で（３）あるいは（４）を選択した場合に使用する変数Ｌに０を代入（ステップＳ５０４）し、変数Ｍに初期比較月変数Ｎ（今回の例では３とする）を代入（ステップＳ５０５）する。変数Ｌは過去に遡る月数を保持するための変数であり、変数Ｍは未来に近づく月数を保持するための変数である。次に図６の処理に遷移する。
【００１８】
図６は、購買単価交渉支援サーバ１０３が具備する購買単価交渉支援機能２１１の処理を示すフローチャートである。購買単価交渉支援機能２１１は、遡り限界値テーブル２５６より遡り限界値（今回の例では１２とする）を取得（ステップＳ６００）する。次に、過去購買単価検索画面４００の指定比較月に購買履歴が無い場合の算出方法で（３）あるいは（４）を選択した場合に使用するフラグＦに１を代入（ステップＳ６０１）する。フラグＦは０であれば過去に遡ることを示し、１であれば未来に近づくことを示す変数である。次に、指定比較月に購買履歴が無い場合の算出方法で（４）を選択したかどうかを判定（ステップＳ６０２）し、（４）を選択していない場合はフラグＦに０を代入（ステップＳ６０３）する。次に図７の処理に遷移する。
【００１９】
図７は、購買単価交渉支援サーバ１０３が具備する購買単価交渉支援機能２１１の処理を示すフローチャートである。購買単価交渉支援機能２１１は、現在年月日をサーバ時間より取得し、比較月数Ｎｉから比較月を算出（ステップＳ７００）する。次に、単価履歴テーブル２５２の品目２００１をキー（今回の例ではＡＡ０１とする）とし、さらに発注年月日２００３をキー（前述のサーバ時間と比較月数Ｎｉから算出した比較月）で絞込みを行って検索し、該当の全レコードを取得（ステップＳ７０１）する。次に前述で取得したレコードから仕入先毎に発注単価の平均値、最大値、最小値を計算し、単価比較テーブル２５３の仕入先２１０１をキーにし、平均２１０２と最大２１０３と最小２１０４、および取得年月２１０５に格納（ステップＳ７０２）する。次に、単価比較テーブル２５３の仕入先２１０１以外のレコードにＮｕｌｌ値（空白）があるかどうかを検索（ステップＳ７０３）し、ある場合は図８の処理に遷移する。単価比較テーブル２５３にＮｕｌｌ値が無い場合は図１８の処理に遷移する。
【００２０】
図８は、購買単価交渉支援サーバ１０３が具備する購買単価交渉支援機能２１１の処理を示すフローチャートである。購買単価交渉支援機能２１１は、過去購買単価検索画面４００の指定比較月に購買履歴が無い場合の算出方法で（１）を選択した場合、図９の処理に遷移（ステップＳ８００）し、（１）を選択しなかった場合は、次に、（２）を選択したか否かを判定し、（２）を選択した場合は図１０の処理に遷移（ステップＳ８０１）し、（２）を選択しなかった場合は図１３の処理に遷移する。
【００２１】
図９は、購買単価交渉支援サーバ１０３が具備する購買単価交渉支援機能２１１の処理を示すフローチャートであり、過去購買単価検索画面４００の指定比較月に購買履歴が無い場合の算出方法で（１）を選択した場合の処理である。購買単価交渉支援機能２１１は、比較月変数Ｎｉが初期比較月変数Ｎ以上かどうかを判定（ステップＳ９００）し、初期比較月変数Ｎ以上でなければ図１０の処理に遷移する。初期比較月変数Ｎ以上であれば、比較月変数Ｎｉに１を足す処理（ステップＳ９０１）を行う。次に、比較月変数Ｎｉが遡り限界値より大きいかどうかの判定（ステップＳ９０２）を行い、遡り限界値より大きくない場合は図７の処理に遷移する。遡り限界値より大きい場合は、比較月変数Ｎｉに初期比較月変数Ｎ（今回の例では３）を代入し、図１０の処理に遷移する。
【００２２】
図１０は、購買単価交渉支援サーバ１０３が具備する購買単価交渉支援機能２１１の処理を示すフローチャートであり、過去購買単価検索画面４００の指定比較月に購買履歴が無い場合の算出方法で（１）を選択した場合の処理である。購買単価交渉支援機能２１１は、比較月変数Ｎｉから１を引く処理（ステップＳ１０００）を行う。次に、比較月変数Ｎｉが０と等しいかどうかの判定（ステップＳ１００１）を行い、０に等しくない場合は図７の処理に遷移する。０に等しい場合は、図１８の処理に遷移する。
【００２３】
図１１は、購買単価交渉支援サーバ１０３が具備する購買単価交渉支援機能２１１の処理を示すフローチャートであり、過去購買単価検索画面４００の指定比較月に購買履歴が無い場合の算出方法で（２）を選択した場合の処理である。購買単価交渉支援機能２１１は、比較月変数Ｎｉが初期比較月変数Ｎ以下かどうかを判定（ステップＳ１１００）し、初期比較月変数Ｎ以下でなければ図１２の処理に遷移する。初期比較月変数Ｎ以下であれば、比較月変数Ｎｉから１を引く処理（ステップＳ１１０１）を行う。次に、比較月変数Ｎｉが０と等しいかどうかの判定（ステップＳ１１０２）を行い、０と等しくない場合は図７の処理に遷移する。０と等しい場合は、比較月変数Ｎｉに初期比較月変数Ｎ（今回の例では３）を代入し、図１２の処理に遷移する。
【００２４】
図１２は、購買単価交渉支援サーバ１０３が具備する購買単価交渉支援機能２１１の処理を示すフローチャートであり、過去購買単価検索画面４００の指定比較月に購買履歴が無い場合の算出方法で（２）を選択した場合の処理である。購買単価交渉支援機能２１１は、比較月変数Ｎｉに１を足す処理（ステップＳ１２００）を行う。次に、比較月変数Ｎｉが遡り限界値より大きいかどうかの判定（ステップＳ１２０１）を行い、遡り限界値より大きくない場合は図７の処理に遷移する。遡り限界値より大きい場合は、図１８の処理に遷移する。
【００２５】
図１３は、購買単価交渉支援サーバ１０３が具備する購買単価交渉支援機能２１１の処理を示すフローチャートであり、過去購買単価検索画面４００の指定比較月に購買履歴が無い場合の算出方法で（３）あるいは（４）を選択した場合の処理である。購買単価交渉支援機能２１１は、フラグＦが１に等しいかどうか判定（ステップＳ１３００）を行い、等しくない場合は図１４の処理に遷移する。１に等しい場合は図１６の処理に遷移する。
【００２６】
図１４は、購買単価交渉支援サーバ１０３が具備する購買単価交渉支援機能２１１の処理を示すフローチャートであり、過去購買単価検索画面４００の指定比較月に購買履歴が無い場合の算出方法で（３）あるいは（４）を選択した場合の処理である。購買単価交渉支援機能２１１は、過去に遡る月数を保持するための変数Ｌに１を足す（ステップＳ１４００）を行う。次に、変数Ｌが遡り限界値より大きいかどうかを判定（ステップＳ１４０１）し、遡り限界値より大きくない場合は図１５の処理に遷移する。遡り限界値より大きい場合は、未来に近づく月数を保持するための変数Ｍが０と等しいかどうかを判定（ステップＳ１４０２）し、０に等しくない場合は図１６の処理に遷移する。０に等しい場合は図１８の処理に遷移する。
【００２７】
図１５は、購買単価交渉支援サーバ１０３が具備する購買単価交渉支援機能２１１の処理を示すフローチャートであり、過去購買単価検索画面４００の指定比較月に購買履歴が無い場合の算出方法で（３）あるいは（４）を選択した場合の処理である。購買単価交渉支援機能２１１は、フラグＦに次回は未来に近づく処理を行うための１を代入（ステップＳ１５００）する。次に、比較月変数Ｎｉに変数Ｌの値を代入（ステップＳ１５０１）する。次に図７の処理に遷移する。
【００２８】
図１６は、購買単価交渉支援サーバ１０３が具備する購買単価交渉支援機能２１１の処理を示すフローチャートであり、過去購買単価検索画面４００の指定比較月に購買履歴が無い場合の算出方法で（３）あるいは（４）を選択した場合の処理である。購買単価交渉支援機能２１１は、未来に近づく月数を保持するための変数Ｍから１を引く（ステップＳ１６００）を行う。次に、変数Ｍが０と等しいかどうかを判定（ステップＳ１６０１）し、０と等しくない場合は図１７の処理に遷移する。０と等しい場合は、過去に遡る月数を保持するための変数Ｌが遡り限界値より大きいかどうかを判定（ステップＳ１６０２）し、遡り限界値より大きくない場合は図１４の処理に遷移する。遡り限界値より大きい場合は図１８の処理に遷移する。
【００２９】
図１７は、購買単価交渉支援サーバ１０３が具備する購買単価交渉支援機能２１１の処理を示すフローチャートであり、過去購買単価検索画面４００の指定比較月に購買履歴が無い場合の算出方法で（３）あるいは（４）を選択した場合の処理である。購買単価交渉支援機能２１１は、フラグＦに次回は過去に遡る処理を行うための０を代入（ステップＳ１７００）する。次に、比較月変数Ｎｉに変数Ｍの値を代入（ステップＳ１７０１）する。次に図７の処理に遷移する。
【００３０】
図１８は、購買単価交渉支援サーバ１０３が具備する購買単価交渉支援機能２１１の処理を示すフローチャートである。購買単価交渉支援機能２１１は、単価比較テーブル２５３に格納されている全レコードと、見積テーブル２５４に格納されているレコードから品目２２０１をキー（今回の例ではＡＡ０１）に仕入先２２０２と単価２２０３のレコードと、市場テーブル２５５から品目２３０１をキー（今回の例ではＡＡ０１）に単価２３０２を取得し、図２５に示す購買単価比較画面２５００を表示（ステップＳ１８００）する。次にアドバイス画面ボタン２５０９を押す（ステップＳ１８０１）ことで仕入先毎の見積２５０６を市場価格と、過去の平均、最大、最小と、最小単価の他社と比較し、差額を図２６に示す購買単価交渉支援アドバイス画面２６００に表示（Ｓ１８０２）する。
【００３１】
図１９は、購買単価交渉支援サーバ１０３が具備する品目テーブル２５１のデータ構成例を示す図である。品目テーブル２５１は購買対象となる品目１９０１毎に取引を行う仕入先１９０２を格納するテーブルであり、品目毎に複数の仕入先を対応付けて記憶している。
【００３２】
図２０は、購買単価交渉支援サーバ１０３が具備する単価履歴テーブル２５２のデータ構成例を示す図である。単価履歴テーブル２５２は購買対象となる品目２００１と取引を行う仕入先２００２毎に、過去の発注単価２００４を格納し、その際の発注年月日２００３も格納するテーブルである。
【００３３】
図２１は、購買単価交渉支援サーバ１０３が具備する単価比較テーブル２５３のデータ構成例を示す図である。単価比較テーブル２５３は購買対象となる品目（今回の例ではＡＡ０１）に対して、仕入先２１０１毎に単価履歴テーブル２５２から抽出した過去の購買単価の平均２１０２、最大２１０３、最小２１０５、および取得年月２１０５を格納するテーブルである。
【００３４】
図２２は、購買単価交渉支援サーバ１０３が具備する見積テーブル２５４のデータ構成例を示す図である。見積テーブル２５４は購買対象となる品目２２０１に対して、仕入先２２０２、単価２２０３、見積年月日２２０４を格納するテーブルである。
【００３５】
図２３は、購買単価交渉支援サーバ１０３が具備する市場テーブル２５５のデータ構成例を示す図である。市場テーブル２５５は購買対象となる品目２３０１に対して、市場単価である単価２３０２を格納するテーブルである。
【００３６】
図２４は、購買単価交渉支援サーバ１０３が具備する遡り限界値テーブル２５６のデータ構成例を示す図である。遡り限界値テーブル２５６は過去購買単価検索画面４００にて指定比較月に購買履歴が無い場合の算出方法に対して、過去に遡る限界月を定めるテーブルであり、遡り限界値２４０１を格納するテーブルである。
【００３７】
図２５に示す購買単価比較画面２５００には、ユーザ端末１０３の表示部３０２に表示する画面の例を示す。図２５に示す購買単価比較画面２５００において、品目２５０１（今回の例ではＡＡ０１とする）に対して、仕入先２５０２、平均２５０３、最大２５０４、最小２５０５、見積２５０６、取得年月２５０７および市場価格２５０８が表示される。また、アドバイス画面ボタン２５０９を押下することにより、図２６に示す、購買単価交渉支援アドバイス画面２６００へ遷移する。
【００３８】
図２６に示す購買単価交渉支援アドバイス画面２６００には、ユーザ端末１０３の表示部３０２に表示する画面の例を示す。図２６に示す購買単価交渉支援アドバイス画面２６００において、品目２６０１（今回の例ではＡＡ０１とする）に対して、仕入先２６０２、市場との比較２６０３、過去との比較２６０４、他社（最小単価）との比較２６０５、見積２６０６および市場価格２６０７が表示される。
【００３９】
以上本発明の一実施例について説明した。
【００４０】
上記実施例によれば、複数仕入先に対する過去の購買履歴による単価を平均、最大、最小にて算出し、見積単価、市場単価と比較する機能を提供することで、取引先との交渉力向上と原価低減による企業力の向上と期待できる。また、上記実施例は自動で実施されることで、本発明が実施されない場合に発生する作業工数を低減することが可能となる。
【００４１】
以上本発明の実施例を説明したが、本発明はこれに限定されるものではなく、その要旨を逸脱しない範囲で種々変更可能である。
【符号の説明】
【００４２】
１０１・・・購買単価交渉支援、１０２・・・ネットワーク、１０３・・・ユーザ端末、２０１、３０１・・・記憶部、２０２、３０４・・・コントローラ（制御部）、２０３、３０５・・・メモリ、２０４、３０６・・・ネットワークインタフェース部。
【図１】
2014206801.tif 000003
【図２】
2014206801.tif 000004
【図３】
2014206801.tif 000005
【図４】
2014206801.tif 000006
【図５】
2014206801.tif 000007
【図６】
2014206801.tif 000008
【図７】
2014206801.tif 000009
【図８】
2014206801.tif 000010
【図９】
2014206801.tif 000011
【図１０】
2014206801.tif 000012
【図１１】
2014206801.tif 000013
【図１２】
2014206801.tif 000014
【図１３】
2014206801.tif 000015
【図１４】
2014206801.tif 000016
【図１５】
2014206801.tif 000017
【図１６】
2014206801.tif 000018
【図１７】
2014206801.tif 000019
【図１８】
2014206801.tif 000020
【図１９】
2014206801.tif 000021
【図２０】
2014206801.tif 000022
【図２１】
2014206801.tif 000023
【図２２】
2014206801.tif 000024
【図２３】
2014206801.tif 000025
【図２４】
2014206801.tif 000026
【図２５】
2014206801.tif 000027
【図２６】
2014206801.tif 000028